(57)【要約】【課題】土を装填し散水して植栽する在来のプランターをそのまま利用して、水耕式植栽を簡便且つ経済的に行えるようにする。【解決手段】プランター本体１１の内部に水槽１２を嵌め込む。水槽の溢水縁１３から底面１４に到る水槽の深さ（ｄ）をプランター本体の深さ（Ｄ）よりも浅くする（Ｄ＞ｄ）。水槽の溢水縁１３から底面側（１４）へと下ったプランター本体１１の下側部分に漏水孔１５を設ける。その漏水孔１５へと水槽の溢水縁１３から続く通水性隙間１６が水槽１２とプランター本体１１の間に設ける。プランター本体１１には土を装填し散水して植栽する在来のプランターをそのまま利用することが出来、水槽１２はプラスチックフイルム１９をプランター本体内部１１に敷き込んで構成することも出来、水槽１２の上側に土壌２６を積層して簡便且つ経済的に水耕式植栽を行うことが出来る。【選択図】図１
2005224211.tif 000002
【特許請求の範囲】
【請求項１】
プランター本体（１１）の内部に水槽（１２）が嵌め込まれており、水槽の溢水縁（１３）から底面（１４）に到る水槽の深さ（ｄ）がプランター本体の深さ（Ｄ）よりも浅く（Ｄ＞ｄ）、水槽の溢水縁（１３）から底面側（１４）へと下ったプランター本体（１１）の下側部分に漏水孔（１５）が存在し、その漏水孔（１５）へと水槽の溢水縁（１３）から続く通水性隙間（１６）が水槽（１２）とプランター本体（１１）の間に形成されているプランター。
【請求項２】
水槽の深さ（ｄ）とプランター本体の深さ（Ｄ）の差が３ｃｍ以上（Ｄ−ｄ≧３ｃｍ）であり、水槽の深さ（ｄ）が３ｃｍ以上（ｄ≧３ｃｍ）である前掲請求項１に記載のプランター。
【請求項３】
プランター本体（１１）が布帛その他の可撓性透水性シート（１７）によって袋状に構成されている前掲請求項１と請求項２に記載のプランター。
【請求項４】
水槽の溢水縁（１３）の位置から続くプランター本体の上側部分が非透水性部材（１８）によって囲まれている前掲請求項３に記載のプランター。
【請求項５】
プランター本体（１１）がプラスチックフイルムその他の可撓な非透水性シートによって袋状に構成されており、水槽の溢水縁から底面側へと下ったプランター本体の下側部分に漏水孔（１５）が穿設されている前掲請求項１と請求項２に記載のプランター。
【請求項６】
プランター本体（１１）が木材、金属、陶器、硬質プラスチック等の硬質材料で構成されており、水槽の溢水縁（１３）から底面側（１４）へと下ったプランター本体の下側部分に漏水孔（１５）が穿設されている前掲請求項１と請求項２に記載のプランター。
【請求項７】
水槽（１２）がプラスチックフイルムその他の可撓な非透水性シート（１９）の周囲を立ち上げて構成されている前掲請求項１と請求項２と請求項３と請求項４と請求項５と請求項６に記載のプランター。
【請求項８】
水槽（１２）が厚さ２００μｍ以下の可撓な非透水性プラスチックフイルム（１９）の周囲を立ち上げて構成されている前掲請求項１と請求項２と請求項３と請求項４と請求項５と請求項６と請求項７に記載のプランター。
【請求項９】
プランター本体の上縁（２１）から水槽に通じる給水管（２０）を有し、水槽の周縁（２２）がプランター本体の内面（２３）に接触している前掲請求項１と請求項２と請求項３と請求項４と請求項５と請求項６と請求項７と請求項８に記載のプランター。
【請求項１０】
通水孔（２４）が全面に分布している仕切板（２５）がプランター本体（１１）に嵌め込まれており、その仕切板（２５）によってプランター本体（１１）の内部が上下に仕切られており、その仕切板（２５）が水槽（１２）の上側に位置する前掲請求項１と請求項２と請求項３と請求項４と請求項５と請求項６と請求項７と請求項８と請求項９に記載のプランター。
【請求項１１】
隙間（４０）が全面に分布しており中央部に苗（４１）を嵌め込む苗嵌込口（４２）が開けられている補強板（３９）がプランター本体（１１）に嵌め込まれており、その補強板２５が仕切板（２５）の上側に位置している前掲請求項１０に記載のプランター。
【請求項１２】
前掲請求項１に記載のプランターの水槽（１２）の上側に土壌（２６）を積層し、その土壌層（２６）から水槽の溢水縁（１３）までの距離（Ｌ）を５ｃｍ以内とし、水槽（１２）と土壌層（２６）の間にプランター本体（１１）の内面に囲まれた空気層（１０）を設ける水耕式植栽法。
【発明の詳細な説明】
【技術分野】
【０００１】
本発明は、水耕栽培、底面灌水、底面給湿等の水耕式植栽に有用なプランターに関するものである。
【背景技術】
【０００２】
本発明者は、糸条を束ねた糸束を土壌に代わる植栽資材として使用する水耕式植栽法を特願平７−２９１７０５、特願平７−２９１７０６、特願平８−１８８０９３、特願平９−１１１９０７、特願平１０−１１２７６６、特願平１１−２２１２７４に開示している（例えば、特許文献１参照）。この水耕式植栽法は、縦長にした糸束の下側を水中に沈め、水面から突き出た糸束の上端に種を播き、或いは、苗を載せて植栽するものであり、植物は糸条に沿って根を降ろし、水中に根を張って生育する。
【特許文献１】特開平９−１０７７９１号公報（特許請求の範囲と図面）
【０００３】
この水耕式植栽法では、土は必ずしも必要としないが、それが植物の生育を促進する微量成分を有しているためなのか、或いは、植物の生育に有効な土壌菌を有しているためなのか、その理由は定かでないとしても、水面から浮き出た糸束の上端に僅かでも土を載せると植物は勢いよく生育し、その載せた土が水中に沈むことなく糸束の上端に支持されて水に浸らない状態に維持するときは、黒疽菌その他の嫌気性菌の発生がなく、根腐れや水腐れが起きることはない。
【発明の開示】
【発明が解決しようとする課題】
【０００４】
この水耕式植栽法では、プランター５０を水槽５１とし、その水槽５１に糸束を装填し、水位を糸束の上端より下方に維持するために、プランターの底部に穿設されている排水孔５２にパイプ５３を取り付け、そのパイプ５３の上端５４の位置を糸束の上端よりも下方に固定し（図９）、水槽への給水が過剰になったときは、そのパイプの上端５４から溢水（オーバーフロー）するようにしている。しかし、そのために排水孔５２にパイプ５３を取り付けることは面倒なことであり、その排水孔５２とパイプ５３の間の僅かな隙間からの漏水も問題になる。そして、プランター内部に突き出たパイプ５３は往々にして邪魔になる。
【０００５】
水位を糸束の上端よりも下方に維持する他の方法として、プランター５０を形の確りした内容器（上容器）５５と外容器（下容器）５６との内外（乃至は上下）二重構造にし、外容器の深さを内容器の深さと糸束の長さよりも浅くし、内容器の底部に透水孔５７を穿設し、内容器に糸束を装填し、外容器５６を水槽としてその中に内容器５５を装填し、過剰給水時に外容器の上縁５８から溢水して水位が糸束の上端より上に上昇しないようにする方法がある（図１０）。しかし、その方法では、プランターを移動しようとすると水面５９が揺れ動いて外容器の上縁５８から水が溢れ落ち、往々にして外容器５６を忘れて内容器５５だけを持ち上げてしまう等、二重構造のプランターは移動時に不都合を来す。
【０００６】
近時、プランター内部を有孔板で上下に仕切り、下側に給水孔を穿設し、その給水孔から下側の部分を水槽とし、有孔板の上側に土を装填して使用する底面灌水ないし底面給水式プランターが市販されている。しかし、このプランターでは、移動時に給水孔から溢れ落ちる危険がある。又、給水孔を介して土壌層の底面が外気に触れることになるので、水槽から土壌層へと湿気が伝わり難く、底面灌水ないし底面給水としては不十分であり、側面に穿設された給水孔によってプランターの体裁が損なわれる。
【０００７】
図９に図示する溢水パイプ付きプランター、図１０に図示する二重構造プランター、或いは、側面給水孔付きプランターの何れもが、土を装填し散水して植栽する在来のプランターとは構造が全く異なるので製造コストが高くつき、汎用性を欠くので底面灌水や底面給水が普及していない現在では在庫負担も大きく販売に伴うリスクも大きい。そのリスクを販売価格に上乗せすれば益々販売し難くなる等、多くの問題点をはらんでいる。
【０００８】
そこで本発明は、土を装填し散水して植栽する在来のプランターをそのまま利用して水耕式植栽が簡便に行えるようにすることを目的とする。
【課題を解決するための手段】
【０００９】
本発明に係るプランターは、プランター本体１１の内部に水槽１２が嵌め込まれており、水槽の溢水縁１３から底面１４に到る水槽の深さ（ｄ）がプランター本体の深さ（Ｄ）よりも浅く（Ｄ＞ｄ）、水槽の溢水縁１３から底面側（１４）へと下ったプランター本体１１の下側部分に漏水孔１５が存在し、その漏水孔１５へと水槽の溢水縁１３から続く通水性隙間１６が水槽１２とプランター本体１１の間に形成されていることを第１の特徴とする。
【００１０】
本発明に係るプランターの第２の特徴は、上記第１の特徴に加えて、水槽の深さ（ｄ）とプランター本体の深さ（Ｄ）の差が３ｃｍ以上（Ｄ−ｄ≧３ｃｍ）であり、水槽の深さ（ｄ）が３ｃｍ以上（ｄ≧３ｃｍ）である点にある。
【００１１】
本発明に係るプランターの第３の特徴は、上記第１、第２の何れかの特徴に加えて、プランター本体１１が布帛その他の可撓性透水性シート１７によって袋状に構成されている点にある。
【００１２】
本発明に係るプランターの第４の特徴は、上記第３の特徴に加えて、水槽の溢水縁１３の位置から続くプランター本体の上側部分が非透水性部材１８によって囲まれている点にある。
【００１３】
本発明に係るプランターの第５の特徴は、上記第１、第２の何れかの特徴に加えて、プランター本体１１がプラスチックフイルムその他の可撓な非透水性シートによって袋状に構成されており、水槽の溢水縁から底面側へと下ったプランター本体１１の下側部分に漏水孔（１５）が穿設されている点にある。
【００１４】
本発明に係るプランターの第６の特徴は、上記第１、第２の何れかの特徴に加えて、プランター本体１１が木材、金属、陶器、硬質プラスチック等の硬質材料で構成されており、水槽の溢水縁１３から底面側（１４）へと下ったプランター本体１１の下側部分に漏水孔１５が穿設されている点にある。
【００１５】
本発明に係るプランターの第７の特徴は、上記第１、第２、第３、第４、第５、第６の何れかの特徴に加えて、水槽１２がプラスチックフイルムその他の可撓な非透水性シート１９の周囲を立ち上げて構成されている点にある。
【００１６】
本発明に係るプランターの第８の特徴は、上記第１、第２、第３、第４、第５、第６、第７の何れかの特徴に加えて、水槽１２が厚さ２００μｍ以下の可撓な非透水性プラスチックフイルム１９の周囲を立ち上げて構成されている点にある。
【００１７】
本発明に係るプランターの第９の特徴は、上記第１、第２、第３、第４、第５、第６、第７、第８の何れかの特徴に加えて、プランター本体の上縁２１から水槽１２へと通じる給水管２０を有し、水槽の周縁２２がプランター本体の内面２３に接触している点にある。
【００１８】
本発明に係るプランターの第１０の特徴は、上記第１、第２、第３、第４、第５、第６、第７、第８、第９の何れかの特徴に加えて、通水孔２４が全面に分布している仕切板２５がプランター本体１１に嵌め込まれており、プランター本体１１の内部が仕切板２５によって上下に仕切られており、仕切板２５が水槽１２の上側に位置する点にある。
【００１９】
本発明に係るプランターの第１１の特徴は、上記第１０の特徴に加えて、隙間４０が全面に分布しており中央部に苗４１を嵌め込む苗嵌込口４２が開けられている補強板３９がプランター本体１１に嵌め込まれており、その補強板３９が仕切板２５の上側に位置している点にある。
【００２０】
本発明に係る植栽法は、上記第１、第２、第３、第４、第５、第６、第７、第８、第９、第１０、第１１の何れかの特徴を有するプランターの水槽１２の上側に土壌２６を積層し、その土壌層２６から水槽の溢水縁１３までの距離（Ｌ）を５ｃｍ以内とし、水槽１２と土壌層２６の間にプランター本体１１の内面に囲まれた空気層１０を設けることを特徴とする。
【発明の効果】
【００２１】
土を装填し散水して植栽する在来の何れのプランター（植木鉢）にも下側に排水孔（５２）が設けられており（図７）、その在来のプランター（５０）に水槽１２を嵌め込むときは、そのプランター（５０）が本発明のプランター本体１１となり、その排水孔（５２）が漏水孔１５となり、そのプランターの内面２３と水槽１２の外面の間には少なくとも水が滲み込む程度の隙間が出来、それが通水性隙間１６となるので、その在来のプランターの内部に収まる水槽１２を用意するだけで本発明の実施が可能になる。
【００２２】
水槽１２は、プラスチックフイルム１９をプランター本体１１の内面に敷き込んで構成することも出来る（図２）。従って、本発明の実施に必要な水槽１２を、陶器やプラスチック射出成形によって定形性のある立体形状の容器として格別に用意する必要はない。
【００２３】
過剰供給された水は、溢水縁１３を超え、水槽の外面２７とプランター本体の内面２３の間の通水性隙間１６を通って漏水孔１５から外部へと流出することになるが、その場合、水槽の上縁２２とプランター本体の内面２３が触れ合っており、通水性隙間１６は恰も雨漏りの原因となる隙間と同程度の極狭くなるので、プランターの移動時に水面が揺れ動いても、プランター本体の内面２３が防波堤となって揺れ動く水が押し返され、その揺れ動いて溢水縁１３に当たる水が通水性隙間１６を伝って漏水孔１５から滲み出るとしても、その溢水縁１３に当たる水の全てが直ちに漏水孔１５から溢れ落ちることはなく、プランターの移動時に水が溢れ出るようなことは起きない。
【００２４】
本発明では、その実施にプランター本体１１を格別に用意する必要はなく、土を装填し散水して植栽する在来のプランターをそのままプランター本体１１に利用することが出来、又、水槽１２はプラスチックフイルム１９をプランター本体内部１１に敷き込んで構成することも出来るので、水耕式植栽を簡便且つ経済的に行うことが出来る。
【発明を実施するための最良の形態】
【００２５】
水槽内の水は水槽の周縁２２で堰止められ、その周縁の中の最も低い部分が溢水縁１３となる。特に、木材や金属、陶器、硬質プラスチック等の硬質材料で構成された水槽では、その側面に溢水孔２８を穿設することが出来、その溢水孔２８の周縁の中の最も低い部分が溢水縁１３となる。
【００２６】
プラスチックフイルム等の可撓な非透水性シート１９をプランター本体内部１１に敷き込み、その周縁（２２）をプランター本体の内壁面２３に合わせて立ち上げて水槽１２を構成する場合、その立ち上げたプラスチックフイルム１９の上縁２２の一部を所要の深さまで押し下げて溢水縁１３を形成することも出来る（図１）。そのようにプラスチックフイルム１９に成る水槽１２では、その押し下げられた上縁２２の一部が溢水縁１３となり、その押し下げる程度（深さ）によって水槽内の最高水位、即ち、水槽の深さ（ｄ）を自由に設定することが出来、又、プランター本体１１の形状に合わせて水槽１２の形状を自由に設定することが出来、而も、プラスチックフイルム１９は極めて安価な材料なので水槽１２も安価になるので、本発明は極めて実用的である。
【００２７】
プラスチックフイルム１９を敷き込んで成る水槽１２では、そのプラスチックフイルム１９がプランター本体の内面２３に密着して有効な通水性隙間１６が出来難くなる場合がある。そのような場合には、水槽１２とプランター本体１１の間に紐や棒２９を挟み込み、その紐や棒２９によって水槽の外面２７とプランター本体の内面２３の間を押し広げ、紐や棒２９に沿った通水性隙間１６を確保する（図１）。陶器や硬質プラスチック製のプランター本体や水槽では、形や寸法の僅かな違いによって通水性隙間１６が出来るので、通水性隙間が出来るようにプランター本体の内面や水槽の外面に溝や凹凸を付けておく必要はない。
【００２８】
水槽１２の上側に土壌層２６を積層するには、前記特許文献１に開示された植栽資材即ち糸束３０を縦長にして水槽１２に装填し、その糸束の上端３１で水面３２の上方へと土壌層２６を押し上げて支え（図２）、又、軽石等３３の多孔質材料を水槽１２に装填し、その軽石等３３を水面上３２に高く盛り上げ、その軽石等３３の上に土壌層２６を積層し（図３）、或いは、水槽１２に配置した脚材３４によって有孔仕切板２５を水面３２よりも高くし（図４）、或いは又、プランター本体の内壁面に有孔仕切板２５を支承するステップ３５を設け（図５）、その水面よりも高く支持される有孔仕切板２５の上に土壌２６を積層する。
【００２９】
有孔仕切板２５には給水管２０を突設し、土壌層２６を透過して水槽１２へと直接水を注ぎ込むことが出来るようにするとよい（図５）。又、その仕切板２５を支える脚材３４を使用する場合、水槽１２に水を注ぎ込む給水管２０は、それらの仕切板２５や脚材３４と一体に形成するとよい。布等の可撓性透水性シート１７によって構成されたプランター本体の水槽の溢水縁１３から上の上側部分を非透水性部材１８によって囲むのは、水槽１２から立ちのぼる湿気が外部に漏れることなく水面３２と土壌層２６の間にこもり、根茎が乾かないようにするためである。非透水性部材による囲い１８は、プランター本体の上縁２１から底面１４まで連続したものとするとよい（図６）。
【００３０】
プランター本体を構成する透水性シート１７には、織物、編物、不織布等の布帛や気泡が連続している発泡樹脂シート、パンチングメタルその他の有孔板や金網等が使用される。プランター本体１１は、竹や線条を編み上げて籠状に構成することも出来る。透水性シート１７に成るプランター本体や、竹や線条を編み上げた籠形プランター本体では、その全面に漏水孔が分布するので、目に見える程の大きい漏水孔１５を穿設する必要はない。プランター本体を構成する非透水性シートや透水性シート１７は、布帛やプラスチックフイルムを重ね合わせた多層積層構造のものであってもよい。厚さ５０μｍ以下の極薄プラスチックフイルム１９で水槽１２を構成する場合、そのプラスチックフイルム１９に不織布等の保護シート３６を重ね合わせて破れ難くするとよい（図３と図４）。
【００３１】
土壌層２６は、冒頭にも記したように、それが植物の生育に必要な微量成分や土壌菌を有するが故に必要とされるものであり、その層厚（ｔ）は５ｍｍ程度であってもよい。しかし土壌層２６は、植物の根元を支える支材としても有効であり、その支材としての層厚（ｔ）は２０ｍｍ以上にするとよい。とは言え、水槽を使用しない従来のプランターで植栽する場合のように、土壌層２６の層厚（ｔ）を１００ｍｍ以上にする必要はない。特に、前記特許文献１に記載の糸束３０を使用する場合、それが土壌層２６を支える支材となると同時に土壌に代わる植栽資材にもなるので、その糸束３０を使用する場合には、土壌層２６の層厚（ｔ）を３０〜５０ｍｍにすれば十分である。糸束３０を使用したプランターでは、ウコン等の根菜類は、糸束３０を伝って水中に大きい根茎をつくるが、土壌層２６と水面３２の間が僅かながらも常時離れ、土壌層２６が直接水に漬かることがなければ、根腐れや水腐れは起きない。
【００３２】
土壌層２６に水が直接触れないようにするには、粉粒状の土壌物質が水槽１２に溢れ落ちるのを防ぐことが出来る枯草や腐葉土、ネット等による防砂層３７を土壌層２６の底面に積層するとよい（図３）。水槽１２の深さ（ｄ）を３ｃｍ以上にするのは、夏期に植物の水揚げ量が多く、植物の種類によっては水槽の水面３２が２ｃｍ以上も降下することもあるためである。従って、水遣り（散水や給水）を２〜３日せずに済むようにするために、水槽の深さ（ｄ）を７ｃｍ以上にすることが望ましい。これらの点を考慮してプランター本体の深さ（Ｄ）を１２〜３０ｃｍとし、水槽の深さ（ｄ）が３ｃｍ以上（ｄ≧３ｃｍ）とし、水槽の深さ（ｄ）とプランター本体の深さ（Ｄ）の差を３ｃｍ以上（Ｄ−ｄ≧３ｃｍ）とすることが望ましい（図１〜図５）。
【００３３】
プランター本体１１をプラスチックフイルム（所謂ビニールフイルム）や布帛等の可撓な非透水性シートや透水性シート１７で筒状に構成する場合、仕切板２５を筒状プランター本体１１の底面（横断面）形状を形取って形成すると共に、その形状に合わせて底板３８と補強板３９を用意し、底板３８、水槽１２、脚材３４、仕切板２５、補強板３９の順にプランター本体１１に嵌め込むこととし、その仕切板２５と補強板３９の間に土壌２６を積層すると、プランター本体１１が形状不安定な袋状に仕立てられていても、上側と下側が補強板３９と底板３８によって同じ断面形状に固定され、陶器や硬質プラスチック製プランター本体と同様に形状が安定した筺形構造物に仕上げることが出来る（図７）。その補強板３９の全面に、仕切板の透水孔２４よりも目粗な隙間４０を開け、その隙間４０を通して補強板３９と仕切板２５の間に土壌２６を装填し得るようにすると共に、補強板３９の中央部に苗４１を土壌層２６に納めるための苗嵌込口４２を設けると、随時土壌（２６）を補充することが出来、植物の根元が補強板３９に確り支えられ、補強板３９の上に砂利や玉石、木片等々を載せて地表を飾ることが出来る。糸束３０は、脚材３４に代えて使用することも出来、又、脚材３４と併用することも出来る。仕切板２５と補強板３９には、給水管２０を差し込んで支持するための差込口４３・４４を設けておくとよい。
【００３４】
非透水性シートや透水性シート１７によって円筒形のプランター本体１１を仕立てる場合、そのシート１７の片側に円筒形の円周方向に折目４５を付け、その折目４５から端縁に到る切れ目４６を入れ、その端縁を切れ目４６によって分割された多数の舌片４７によって非透水性シートや透水性シート１７を縁取り、その非透水性シートや透水性シート１７を丸めて円筒形にし、折目４５に沿って舌片４７を内側に直角に折り曲げてプランター本体１１の底面を構成することとし、その舌片の重なり合う円形底面の中心部を切り抜いて開口４８を開けるとよい。熱可塑性プラスチック・繊維に成る非透水性シートや透水性シート１７では、その舌片の重なり合う円形底面の中心部を熱溶融させて開口４８を開けるとよく、その場合、開口４８の周縁で舌片同士が融着するので、舌片間を縫合したり接着する手間が省ける。その重なり合う舌片と舌片の間の隙間４９や開口４８は漏水孔（１５）にもなる。非透水性シートや透水性シート１７の端縁を縁取る舌片４７は、図８に図示するように、その左右の何れか一方の側縁が隣合う舌片４７の他の片側に重なって、舌片４７の側縁が渦巻螺旋を描くように舌片４７を折り曲げると、プランター本体の底面が強度的に安定して綺麗に仕上がる。
【００３５】
尚、本発明の実施に必要なプランター本体１１や水槽１２、給水管２０、仕切板２５、補強板３８を、新たな成形金型を作成してプラスチック射出成形するとしても、そのことは、在来のプランターを用いて簡便且つ経済的に水耕式植栽が行えると言う本発明の効果を損なうものではない。
【図面の簡単な説明】
【００３６】
【図１】本発明に係るプランターの要部斜視図である。
【図２】本発明に係るプランターの断面図である。
【図３】本発明に係るプランターの断面図である。
【図４】本発明に係るプランターの断面図である。
【図５】本発明に係るプランターの組立斜視図である。
【図６】本発明に係るプランターの切截斜視図であり、一部を円で囲んで拡大して図示している。
【図７】本発明に係るプランターの組立斜視図である。
【図８】本発明に係るプランター本体の組立斜視図である。
【図９】従来の水耕式植栽用プランターの断面図である。
【図１０】従来の水耕式植栽用プランターの断面図である。
【符号の説明】
【００３７】
１０：空気層
１１：プランター本体
１２：水槽
１３：溢水縁
１４：底面
１５：漏水孔
１６：通水性隙間
１７：透水性シート
１８：非透水性部材（囲い）
１９：非透水性シート（プラスチックフイルム）
２０：給水管
２１：プランター本体の上縁
２２：水槽の周縁（上縁）
２３：プランター本体の内面（内壁面）
２４：通水孔
２５：仕切板
２６：土壌（層）
２７：水槽の外面
２８：溢水孔
２９：棒
３０：糸束
３１：糸束の上端
３２：水面
３３：軽石等
３４：脚材
３５：ステップ
３６：保護シート
３７：防砂層
３８：底板
３９：補強板
４０：隙間
４１：苗
４２：苗嵌込口
４３・４４：差込口
４５：折目
４６：切れ目
４７：舌片
４８：開口
４９：隙間
５０：プランター
５１：水槽
５２：排水孔
５３：パイプ
５４：パイプの上端
５５：内容器
５６：外容器
５７：透水孔
５８：外容器の上縁
５９：水面
【図１】
2005224211.tif 000003
【図２】
2005224211.tif 000004
【図３】
2005224211.tif 000005
【図４】
2005224211.tif 000006
【図５】
2005224211.tif 000007
【図６】
2005224211.tif 000008
【図７】
2005224211.tif 000009
【図８】
2005224211.tif 000010
【図９】
2005224211.tif 000011
【図１０】
2005224211.tif 000012
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
プランター本体（１１）の内部に水槽（１２）が嵌め込まれており、水槽の溢水縁（１３）から底面（１４）に到る水槽の深さ（ｄ）がプランター本体の深さ（Ｄ）よりも浅く（Ｄ＞ｄ）、水槽の溢水縁（１３）から底面側（１４）へと下ったプランター本体（１１）の下側部分に漏水孔（１５）が存在し、その漏水孔（１５）へと水槽の溢水縁（１３）から続く通水性隙間（１６）が水槽（１２）とプランター本体（１１）の間に形成されているプランター。
【請求項２】
水槽（１２）がプラスチックフイルムその他の可撓な非透水性シート（１９）の周囲を立ち上げて構成されている前掲請求項１に記載のプランター。
【請求項３】
プランター本体（１１）が布帛その他の可撓なシート（１７）によって袋状に構成されている前掲請求項１と請求項２に記載のプランター。
【請求項４】
通水孔（２４）が全面に分布している仕切板（２５）がプランター本体（１１）に嵌め込まれており、その仕切板（２５）によってプランター本体（１１）の内部が上下に仕切られており、その仕切板（２５）が水槽（１２）の上側に位置する前掲請求項１と請求項２と請求項３に記載のプランター。
【請求項５】
隙間（４０）が全面に分布しており中央部に苗（４１）を嵌め込む苗嵌込口（４２）が開けられている補強板（３９）がプランター本体（１１）に嵌め込まれており、その補強板２５が仕切板（２５）の上側に位置している前掲請求項４に記載のプランター。
【請求項６】
前掲請求項１に記載のプランターの水槽（１２）の上側に土壌（２６）を積層し、その土壌層（２６）から水槽の溢水縁（１３）までの距離（Ｌ）を５ｃｍ以内とし、水槽（１２）と土壌層（２６）の間にプランター本体（１１）の内面に囲まれた空気層（１０）を設ける水耕式植栽法。